(57)【要約】【課題】眼鏡フレームの装着が容易である状態と、眼鏡フレームのホールド性に優れた状態とを切り換えることができ、しかも、その切り換えを音で確認することができる眼鏡フレーム用のテンプルを提供する。【解決手段】眼鏡フレーム１は、前枠部２と、テンプル部材３ａを含むテンプル３とを含む。テンプル部材３ａの長手方向の一部に、内外方向に変形する変形領域部３１を備えている。変形領域部３１には屈曲部材３２が設けられ、屈曲部材３２は、２つの端部３３を連結する連結部４と、連結部３４が湾曲した状態で端部２２を連結する弾性部３５とで構成される。屈曲部材３２は、音を発生しながら、逆向きの湾曲状態を切り換えることができ、それによりテンプル３の先端を閉じた状態と開いた状態に切り換えることができる。【選択図】図１
2013002379.tif 000002
【特許請求の範囲】
【請求項１】
眼鏡フレーム用のテンプルであって、
レンズを保持する前枠部の両側において延びるようにして回動可能に形成され、前記前枠部に対して交差する向きに延びる位置と前記前枠部に沿って延びる位置との間で開閉可能に形成されるテンプル部材を有し、
前記テンプル部材は、長手方向の一部に内外方向に変形する変形領域部を備え、
前記変形領域部には、互いに逆向きの湾曲状態を切り換え可能に形成された屈曲部材が設けられ、
前記屈曲部材は、互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、
前記連結部は、外方に向けて凸状に湾曲した第１姿勢と、内方に向けて凸状に湾曲した第２姿勢とに切り換わり、
前記連結部が前記第１姿勢または前記第２姿勢であるときの前記連結部の長さは前記弾性部の前後方向の長さよりも長く、
前記連結部が前記第１姿勢および前記第２姿勢のうちのいずれか一方の姿勢からいずれか他方の姿勢に切り換わる過程において前記弾性部が弾性的に伸長することを特徴とする、テンプル。
【請求項２】
前記連結部が前記第１の姿勢または前記第２の姿勢のうちのいずれか一方の姿勢からいずれか他方の姿勢に切り換わったときに、前記連結部が振動して音を発生させる、請求項１に記載のテンプル。
【請求項３】
前記屈曲部材は前記テンプル部材と一体的に形成される、請求項１または請求項２に記載のテンプル。
【請求項４】
前記テンプル部材は、眼鏡フレームの前枠部に取り付け可能な前部と、前記前部の後方に位置し前記前部に着脱可能に取り付けられる後部とからなり、
前記後部は前記変形領域部を具備することを特徴とする、請求項１ないし請求項３に記載のテンプル。
【請求項５】
眼鏡フレームの前枠部に取り付け可能に構成されるテンプル本体と、前端部が前記テンプル本体に取り付けられ、前記テンプル本体の内側面において前記テンプル本体との後端部まで対向する補助テンプルとを備えるテンプル部材を有し、
前記補助テンプルは、長手方向の一部に内外方向に変形する変形領域部を備え、
前記変形領域部には、互いに逆向きの湾曲状態を切り換え可能に形成された屈曲部材が設けられ、
前記屈曲部材は、互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、
前記連結部は、外方に向けて凸状に湾曲した第１姿勢と、内方に向けて凸状に湾曲した第２姿勢とに切り換わり、
前記連結部が前記第１姿勢または前記第２姿勢であるときの前記前記連結部の長さは前記弾性部の前後方向の長さよりも長く、
前記連結部が前記第１姿勢および前記第２姿勢のうちのいずれか一方の姿勢からいずれか他方の姿勢に切り換わる過程において前記弾性部が弾性的に伸長することを特徴とする、テンプル。
【請求項６】
眼鏡フレーム用のテンプルであって、
レンズを保持する前枠部の両側において延びるようにして回動可能に形成され、前記前枠部に対して交差する向きに延びる位置と前記前枠部に沿って延びる位置との間で開閉可能に形成されるテンプル部材を有し、
前記テンプル部材は、長手方向の一部に可撓性を有し内外方向に湾曲する湾曲部を有し、
前記湾曲部の厚さは前記湾曲部の前後に隣接する部位の厚さよりも薄く、
前記湾曲部は、外方に向けて凸状に湾曲した第１姿勢と、内方に向けて凸状に湾曲した第２姿勢とに切り換わることを特徴とする、テンプル。
【請求項７】
前記屈曲部材は前記テンプル部材と別部材として形成され、
前記変形領域部において前記テンプル部材の内部に空洞部が形成され、
前記屈曲部材が前記空洞部に嵌め込まれて、前記前枠部に対して開閉する前記テンプル部材の開閉方向の両側に向かって湾曲するように前記屈曲部材が前記テンプル部材に固定される、請求項１に記載のテンプル。
【請求項８】
連結部の湾曲の両側において屈曲部材に貫通孔が形成され、前記空洞部内において前記テンプル部材から突出するように２つの凸部が形成され、前記屈曲部材の前記貫通孔に前記凸部が嵌め込まれることによって前記屈曲部材が前記テンプル部材に固定される、請求項７に記載のテンプル。
【請求項９】
前記変形領域部において前記テンプル部材の開閉方向の内側または外側に形成される窪み部と、前記窪み部を覆うように前記窪み部に嵌め込まれるカバー部材とで前記空洞部が形成される、請求項７または請求項８に記載のテンプル。
【請求項１０】
前記変形領域部において前記テンプル部材の回動面に対して交差する向きに前記テンプル部材に形成される貫通孔と、前記貫通孔の両側の開口部を塞ぐ２つのカバー部材とによって前記空洞部が形成される、請求項７または請求項８に記載のテンプル。
【請求項１１】
眼鏡フレーム用のテンプルであって、
レンズを保持する前枠部の両側において延びるようにして回動可能に形成され、前記前枠部に対して交差する向きに延びる位置と前記前枠部に沿って延びる位置との間で開閉可能に形成されるテンプル部材、
前記テンプル部材の先端側に形成される内外方向に変形可能な変形領域部、
前記変形領域部において前記テンプル部材に形成される屈曲可能な舌状部に固定される屈曲部材、および
前記変形領域部において前記舌状部を包み込んで前記屈曲部材の周囲に空洞部を形成する屈曲可能なキャップ部材を含み、
前記屈曲部材は、互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、
前記連結部は、外方に向けて凸状に湾曲した第１姿勢と、内方に向けて凸状に湾曲した第２姿勢とに切り換わり、
前記連結部が前記第１姿勢または前記第２姿勢であるときの前記連結部の長さは前記弾性部の前後方向の長さよりも長く、
前記連結部が前記第１姿勢および前記第２姿勢のうちのいずれか一方の姿勢からいずれか他方の姿勢に切り換わる過程において前記弾性部が弾性的に伸長することを特徴とする、テンプル。
【請求項１２】
前記連結部の湾曲の両側において前記屈曲部材に貫通孔が形成され、前記変形領域部において前記舌状部から突出するように２つの凸部が形成され、前記屈曲部材の前記貫通孔に前記凸部が嵌め込まれることによって前記屈曲部材が前記テンプル部材に固定される、請求項１１に記載のテンプル。
【請求項１３】
眼鏡フレーム用のテンプルであって、
レンズを保持する前枠部の両側において延びるようにして回動可能に形成され、前記前枠部に対して交差する向きに延びる位置と前記前枠部に沿って延びる位置との間で開閉可能に形成されるテンプル部材を有し、
前記テンプル部材は、長手方向の一部に内外方向に変形する変形領域部を備え、
前記変形領域部には、互いに逆向きの湾曲状態を切り換え可能に形成された屈曲部材が設けられ、
前記屈曲部材は、弾性材料を用いて湾曲するように形成される１枚の板状体によって形成され、前記板状体の中間部の一部に前記板状体の一方面側に向かって突出するように膨らむ膨出部が形成され、
前記屈曲部材は、外方に向けて凸状に湾曲した第１姿勢と、内方に向けて凸状に湾曲した第２姿勢とに切り換わることを特徴とする、テンプル。
【請求項１４】
レンズを保持するための前枠部の両側において延びるようにして回動可能に形成され、長手方向の一部に内外方向に変形する変形領域部を備えたテンプル部材を含むテンプルの製造方法であって、
前記変形領域部において前記テンプル部材の回動方向の一方側から形成される窪み部を有する前記テンプル部材を準備するステップ、
互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、互いに逆向きの湾曲状態を切り換え可能に形成された屈曲部材を準備するステップ、
前記連結部の湾曲方向が前記窪み部の開口部と一致する向きとなるようにして前記テンプル部材の前記窪み部に前記屈曲部材を嵌め込んで、前記窪み部内で前記屈曲部材を前記テンプル部材に固定するステップ、および
前記テンプル部材の前記窪み部を覆うようにしてカバー部材を前記テンプル部材に装着するステップを含む、テンプルの製造方法。
【発明の詳細な説明】
【技術分野】
【０００１】
この発明は、眼鏡フレーム用のテンプルおよびその製造方法に関し、特にたとえば、眼鏡フレームの装着を容易にするとともにホールド性に優れた眼鏡フレーム用のテンプルと、その製造方法に関する。
【背景技術】
【０００２】
眼鏡フレームは、通常、前枠部、前枠部の両端からそれぞれ後方に延出するテンプル、蝶番等のフレーム部材が連結されて構成されている。このような眼鏡フレームにおいて、デザイン性の観点より、所謂ストレートテンプル（後端部が下方に湾曲していない或いは湾曲の少ないテンプル）を具備する眼鏡フレームが流行している。【０００３】
かかるストレートテンプルを具備する眼鏡フレームにおいては、一般的には、使用者の顔の側面に沿うように（換言すれば、使用者の耳裏から後頭部に向かうように）テンプル後端部側を外方に向けて凸状に湾曲させると共に、顔の両側面にバネ力（押圧力）を付与するようにテンプル全体に回動方向へのバネ性を付与している。【０００４】
しかしながら、このようにテンプル後端部側が使用者の顔の側面に沿うように外方に向けて凸状に湾曲していると、左右のテンプルの後端部間の距離が顔の幅よりも狭くなるので、眼鏡フレームを装着するに先立って、顔の両側面に付与されるバネ力に抗してテンプルを顔の幅程度或いは顔の幅より大きく開いた状態にしなければならず、眼鏡フレームを装着し難いという問題がある。また、ストレートテンプルは、使用者の耳裏に当接する部分が少ないため、後端部が下方に湾曲した通常のテンプルに比べれば、眼鏡フレームを装着する際に、眼鏡フレームを安定した状態に保持するホールド性に劣るものである。【０００５】
従って、ストレートテンプルを備えた眼鏡フレームの装着性やホールド性を高めるべく、従来より種々の提案がなされている。【０００６】
例えば、眼鏡フレームのツルとして、前枠部に継手を介して連結される第１ツルと、第１ツルの後端部に軸を介して揺動可能に取り付けられる第２ツルからなり、第２ツルの軸支される位置が第２ツルの内側端部から所定の距離としたものが提案されている（特許文献１参照）。【０００７】
しかしながら、このような従来の眼鏡フレームのツルでは、第２ツルが第１ツルの後端部に軸を介して揺動可能に取り付けられるので、装着性は向上するものの、使用者が顔を動かしたり、運動等を行ったりすることで、第２ツルの内側端部から軸支されるまでの部位（特許文献１の図１および図４におけるＬの範囲）が、顔の側部に触れることにより、眼鏡フレーム装着時であっても第２ツルが僅かに揺動するため、ホールド性を良好に維持することができないという問題がある。また、第１ツルと第２ツルとを軸支する構成であるため、繰り返し使用しているうちに軸部材が劣化しやすいという問題もある。
【先行技術文献】
【特許文献】
【０００８】
【特許文献１】実用新案登録第３０８１２６１号公報
【発明の概要】
【発明が解決しようとする課題】
【０００９】
本発明は、斯かる従来技術の問題点を解決すべくなされたものであり、眼鏡フレームの装着が容易である状態と、眼鏡フレームのホールド性に優れた状態とを切り換えることができ、しかも、その切り換えを音で確認することができる眼鏡フレーム用のテンプルを提供することを課題とする。
さらに、本発明は、上述のような効果を得ることができるとともに、様々なデザインを採用することができる、眼鏡フレーム用のテンプルを提供することを課題とする。
【課題を解決するための手段】
【００１０】
この発明は、眼鏡フレーム用のテンプルであって、レンズを保持する前枠部の両側において延びるようにして回動可能に形成され、前記前枠部に対して交差する向きに延びる位置と前記前枠部に沿って延びる位置との間で開閉可能に形成されるテンプル部材を有し、前記テンプル部材は、長手方向の一部に内外方向に変形する変形領域部を備え、前記変形領域部には、互いに逆向きの湾曲状態を切り換え可能に形成された屈曲部材が設けられ、前記屈曲部材は、互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、前記連結部は、外方に向けて凸状に湾曲した第１姿勢と、内方に向けて凸状に湾曲した第２姿勢とに切り換わり、前記連結部が前記第１姿勢または前記第２姿勢であるときの前記連結部の長さは前記弾性部の前後方向の長さよりも長く、前記連結部が前記第１姿勢および前記第２姿勢のうちのいずれか一方の姿勢からいずれか他方の姿勢に切り換わる過程において前記弾性部が弾性的に伸長することを特徴とする、テンプルである。【００１１】
本発明において、「内外方向」とは、眼鏡フレームを構成する前枠部を取り付けた状態での内外方向という意味であり、「内方」とは、眼鏡フレームを構成する前枠部を取り付けた状態での内方という意味であり、「外方」とは、眼鏡フレームを構成する前枠部を取り付けた状態での外方という意味である。また、「上下方向」とは、眼鏡フレームを使用者が装着した状態での上下方向という意味である。また、眼鏡フレームを装着した装着者の頭部の水平断面の中心を基準として前頭部がある方向を前方とし、後頭部がある方向を後方としており、「前端部」とは、装着された眼鏡フレームにおいて、眼鏡フレームを構成する各部材における前方の端部をいい、「後端部」とは、装着された眼鏡フレームにおいて、眼鏡フレームを構成する各部材における後方の端部をいう。また、「連結部の長さ」とは、湾曲する連結部の前端部から後端部までの湾曲に沿った長さをいい、「弾性部の前後方向の長さ」とは、弾性部の前端部と後端部とを直線で結んだときのその直線の長さをいう。【００１２】
本発明に係るテンプルでは、連結部が可撓性を有するので、連結部は第１姿勢と第２姿勢とに切り換わることができる。
そして、連結部の長さが弾性部の前後方向の長さより長くて連結部が凸状に湾曲し、連結部と弾性部とがそれぞれの前端部と後端部において対向する端部に接続されているので、連結部の姿勢が第１姿勢および第２姿勢のうちのいずれか一方からいずれか他方に切り換わるように、連結部の凸状に湾曲している方向から、弾性部に向けて連結部に力が加えられると、連結部が真っ直ぐに延びようとし、弾性部を伸長させる力が発生する。弾性部の伸長する長さが長いと、連結部の姿勢が切り換わり易くなる。しかし、連結部に加わる力が小さいと、弾性部の伸長する長さが短いので、姿勢が切り換わらず、元の姿勢が維持される。
そして、連結部に加わる力が大きいと、弾性部の伸長する長さが長くなり、連結部は姿勢を切り換える。姿勢を切り換えたあとは、切り換えた姿勢を維持する。このようにして、連結部は第１姿勢と第２姿勢とに切り換わることができる。【００１３】
本発明に係るテンプルを備えた眼鏡フレームでは、使用者が装着する際に連結部が第２姿勢をとるように切り換わると、テンプルの後端部が外方に向かうように連結部が内方に向けて凸状に湾曲するので、左右のテンプルの後端部間の距離が比較的広くなり、これにより眼鏡フレームの装着が容易になる。
また、眼鏡フレームの装着後には、連結部が第１姿勢をとるように切り換えることにより、テンプルの後端部が内方に向かうように連結部が外方に向けて凸状に湾曲するので、テンプルが使用者の顔側面にフィットされた状態で維持される。
これにより、従来よりも眼鏡フレームのホールド性を高めることができる。また、眼鏡フレームを取り外す際には、連結部が第２姿勢をとるように切り換わることで、テンプルの後端部が外方に向かうので、左右のテンプルの後端部間の距離が比較的広くなり、眼鏡フレームを容易に取り外すことができる。【００１４】
このようなテンプルにおいて、前記連結部が前記第１の姿勢または前記第２の姿勢のうちのいずれか一方の姿勢からいずれか他方の姿勢に切り換わったときに、前記連結部が振動して音を発生させる構成とすることが好ましい。
連結部が第１姿勢と第２姿勢との間で切り換わるとき、屈曲部材に振動が生じて、音が発生することにより、テンプルの姿勢の切り換えが実行されたかどうかを音で確認することができる。【００１５】
ここで、屈曲部材はテンプル部材と一体的に形成されることができる。【００１６】
好ましくは、テンプル部材は、眼鏡フレームの前枠部に取り付け可能な前部と、前記前部の後方に位置し前記前部に着脱可能に取り付けられる後部とからなり、前記後部は前記変形領域部を具備する。【００１７】
斯かる好ましいテンプルによれば、変形領域部を具備する後部が前部から着脱可能なので、後部を取り換えることができる。例えば、第１姿勢と第２姿勢における連結部の湾曲の程度の異なる後部を複数用意すれば、後部を取り換えるだけで、第１姿勢と第２姿勢における連結部の湾曲の程度を変えることができるので、容易に眼鏡フレームのホールド性を調整することができる。また、変形領域部に不具合が生じても、テンプル全体を取り換えずに、後部を取り換えれば良いので低コストになる。また、変形領域部を具備しない後部を用意し、そのような後部と取り換えることにより、従来のようなテンプルとして使用することもできる。【００１８】
また、本発明は、眼鏡フレームの前枠部に取り付け可能に構成されるテンプル本体と、前端部が前記テンプル本体に取り付けられ、前記テンプル本体の内側面において前記テンプル本体との後端部まで対向する補助テンプルとを備えるテンプル部材を有し、前記補助テンプルは、長手方向の一部に内外方向に変形する変形領域部を備え、前記変形領域部には、互いに逆向きの湾曲状態を切り換え可能に形成された屈曲部材が設けられ、前記屈曲部材は、互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、前記連結部は、外方に向けて凸状に湾曲した第１姿勢と、内方に向けて凸状に湾曲した第２姿勢とに切り換わり、前記連結部が前記第１姿勢または前記第２姿勢であるときの前記連結部の長さは前記弾性部の前後方向の長さよりも長く、前記連結部が前記第１姿勢および前記第２姿勢のうちのいずれか一方の姿勢からいずれか他方の姿勢に切り換わる過程において前記弾性部が弾性的に伸長することを特徴とする、テンプルである。【００１９】
このテンプルにおいても、請求項１に係る発明のテンプルと同様の効果を得ることができる。
また、補助テンプルがテンプル本体と対向するように配置されているので、連結部が第２姿勢から第１姿勢に切り換わるときに、補助テンプルの後端部をテンプル本体に当接させ、当接している箇所を支点として変形領域部に力を加えることができるので、連結部の姿勢が容易に切り換わることができる。【００２０】
また、本発明は、眼鏡フレーム用のテンプルであって、レンズを保持する前枠部の両側において延びるようにして回動可能に形成され、前記前枠部に対して交差する向きに延びる位置と前記前枠部に沿って延びる位置との間で開閉可能に形成されるテンプル部材を有し、前記テンプル部材は、長手方向の一部に可撓性を有し内外方向に湾曲する湾曲部を有し、前記湾曲部の厚さは前記湾曲部の前後に隣接する部位の厚さよりも薄く、前記湾曲部は、外方に向けて凸状に湾曲した第１姿勢と、内方に向けて凸状に湾曲した第２姿勢とに切り換わることを特徴とする、テンプルである。【００２１】
湾曲部が、第１姿勢と第２姿勢とに切り換わるので、請求項１に係る発明のテンプルと同様の効果を得ることができる。また、湾曲部の構成が簡単なので、低コストにすることができる。【００２２】
このようなテンプルにおいて、前記屈曲部材は前記テンプル部材と別部材として形成され、前記変形領域部において前記テンプル部材の内部に空洞部が形成され、前記屈曲部材が前記空洞部に嵌め込まれて、前記前枠部に対して開閉する前記テンプル部材の開閉方向の両側に向かって湾曲するように前記屈曲部材が前記テンプル部材に固定されてもよい。【００２３】
このように、屈曲部材とテンプル部材とを別部材として、屈曲部材をテンプル部材に形成された空洞部に嵌め込む構成としても、請求項１に係る発明のテンプルと同様の効果を得ることができる。特に、テンプル部材に形成された空洞部に屈曲部材が嵌め込まれることにより、姿勢の切り換え時に屈曲部材に生じる振動が規制されず、テンプル部材の外部に音を導くことができる。
ここで、テンプル部材の変形領域部に形成された空洞部に屈曲部材が嵌め込まれるため、屈曲部材は外部から見えない。したがって、テンプル部材の形状や模様を変更することにより、様々なデザインを採用することができる。【００２４】
このようなテンプルにおいて、連結部の湾曲の両側において屈曲部材に貫通孔が形成され、空洞部内においてテンプル部材から突出するように２つの凸部が形成され、屈曲部材の貫通孔に凸部が嵌め込まれることによって屈曲部材がテンプル部材に固定されるようにすることができる。
テンプルの空洞部内に屈曲部材を固定するために、空洞部内においてテンプル部材に形成される凸部と、屈曲部材に形成される貫通孔を用いることができる。【００２５】
さらに、変形領域部においてテンプル部材の開閉方向の内側または外側に形成される窪み部と、窪み部を覆うように窪み部に嵌め込まれるカバー部材とで空洞部を形成することができる。
屈曲部材が嵌め込まれる空洞部は、テンプル部材に形成される窪み部と窪み部に嵌め込まれるカバー部材とで構成することができる。この場合、窪み部に組み込まれた屈曲部材は外部から見えないため、テンプル部材とカバー部材の形状や模様を工夫することにより、様々なデザインを有するテンプルを得ることができる。【００２６】
また、変形領域部においてテンプル部材の回動面に対して交差する向きにテンプル部材に形成される貫通孔と、貫通孔の両側の開口部を塞ぐ２つのカバー部材とによって空洞部が形成されてもよい。
テンプル部材に形成される貫通孔とカバー部材とによって空洞部が形成される場合、貫通孔内において屈曲部材をテンプル部材に取り付け、貫通孔の両側の開口部をカバー部材で塞ぐことにより、空洞部内に屈曲部材を嵌め込むことができる。【００２７】
また、この発明は、眼鏡フレーム用のテンプルであって、レンズを保持する前枠部の両側において延びるようにして回動可能に形成され、前記前枠部に対して交差する向きに延びる位置と前記前枠部に沿って延びる位置との間で開閉可能に形成されるテンプル部材、前記テンプル部材の先端側に形成される内外方向に変形可能な変形領域部、前記変形領域部において前記テンプル部材に形成される屈曲可能な舌状部に固定される屈曲部材、および前記変形領域部において前記舌状部を包み込んで前記屈曲部材の周囲に空洞部を形成する屈曲可能なキャップ部材を含み、前記屈曲部材は、互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、前記連結部は、外方に向けて凸状に湾曲した第１姿勢と、内方に向けて凸状に湾曲した第２姿勢とに切り換わり、前記連結部が前記第１姿勢または前記第２姿勢であるときの前記連結部の長さは前記弾性部の前後方向の長さよりも長く、前記屈曲部材が前記第１姿勢および前記第２姿勢のうちのいずれか一方の姿勢からいずれか他方の姿勢に切り換わる過程において前記弾性部が弾性的に伸長することを特徴とする、テンプルである。
変形領域部においてテンプル部材に屈曲可能な舌状部が形成され、この舌状部に２つの湾曲状態を切り換えることができる屈曲部材を固定することにより、変形領域部においてテンプルの先端側を２つの位置に切り換えて配置することができる。【００２８】
ここで、連結部の湾曲の両側において屈曲部材に貫通孔が形成され、変形領域部において舌状部から突出するように２つの凸部が形成され、屈曲部材の貫通孔に凸部が嵌め込まれることによって屈曲部材がテンプル部材に固定されることができる。
テンプル部材に屈曲部材を固定するために、舌状部に形成される凸部と、屈曲部材に形成される貫通孔を用いることができる。【００２９】
また、この発明は、眼鏡フレーム用のテンプルであって、レンズを保持する前枠部の両側において延びるようにして回動可能に形成され、前記前枠部に対して交差する向きに延びる位置と前記前枠部に沿って延びる位置との間で開閉可能に形成されるテンプル部材を有し、前記テンプル部材は、長手方向の一部に内外方向に変形する変形領域部を備え、前記変形領域部には、互いに逆向きの湾曲状態を切り換え可能に形成された屈曲部材が設けられ、前記屈曲部材は、弾性材料を用いて湾曲するように形成される１枚の板状体によって形成され、前記板状体の中間部の一部に前記板状体の一方面側に向かって突出するように膨らむ膨出部が形成され、前記屈曲部材は、外方に向けて凸状に湾曲した第１姿勢と、内方に向けて凸状に湾曲した第２姿勢とに切り換わることを特徴とする、テンプルである。
湾曲する板状体が非湾曲状態になると、中間部に形成された膨出部が変形して、元の形状に戻ろうとする力が働く。そのため、板状体が湾曲する向きに力が働き、逆向きの湾曲状態のいずれかの状態になる。したがって、このような屈曲部材を用いても、テンプルの先端側を２つの位置に切り換えて配置することができる。【００３０】
この発明は、レンズを保持するための前枠部の両側において延びるようにして回動可能に形成され、長手方向の一部に内外方向に変形する変形領域部を備えたテンプル部材を含むテンプルの製造方法であって、前記変形領域部において前記テンプル部材の回動方向の一方側から形成される窪み部を有する前記テンプル部材を準備するステップ、互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、互いに逆向きの湾曲状態を切り換え可能に形成された屈曲部材を準備するステップ、前記連結部の湾曲方向が前記窪み部の開口部と一致する向きとなるようにして前記テンプル部材の前記窪み部に前記屈曲部材を嵌め込んで、前記窪み部内で前記屈曲部材を前記テンプル部材に固定するステップ、および前記テンプル部材の前記窪み部を覆うようにしてカバー部材を前記テンプル部材に装着するステップを含む、テンプルの製造方法である。
テンプルの回動方向の一方側からテンプル部材に窪み部を形成することにより、窪み部に屈曲部材を嵌め込むことができる。ここで、連結部の湾曲方向を窪み部の開口部と一致させることにより、テンプルの回動方向の内側と外側に向かってテンプル部材の先端側の位置を変位させることができる。窪み部内でテンプル部材に屈曲部材を固定し、窪み部を覆うようにしてカバー部材をテンプル部材に装着することにより、外側から屈曲部材が見えないテンプルを得ることができる。【００３１】
このようなテンプルの製造方法において、窪み部の内部においてテンプル部材に凸部が形成され、連結部の湾曲の両側において屈曲部材に貫通孔が形成され、テンプル部材の凸部を屈曲部材の貫通孔に嵌め込むことによって屈曲部材をテンプル部材に固定することができる。
窪み部内において屈曲部材をテンプル部材に固定するために、窪み部の内部に凸部を形成し、テンプル部材の凸部を屈曲部材の貫通孔に嵌め込むことができる。【００３２】
また、テンプルを製造するために、例えば、レンズを保持するための前枠部の両側において延びるようにして回動可能に形成され、長手方向の一部に内外方向に変形する変形領域部を備えたテンプル部材を含むテンプルの製造方法であって、前記変形領域部において前記テンプル部材の回動面と交差する向きに貫通する貫通孔が形成された前記テンプル部材を準備するステップ、互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、互いに逆向きの湾曲状態を切り換え可能に形成された屈曲部材を準備するステップ、前記テンプル部材の前記貫通孔は前記テンプル部材の長手方向に延びて形成され、前記連結部の湾曲方向が前記貫通孔の貫通方向と交差する向きとなるようにして前記テンプル部材の前記貫通孔内に前記屈曲部材を嵌め込んで、前記貫通孔内で前記屈曲部材を前記テンプル部材に固定するステップ、および前記貫通孔の両側の開口部を塞ぐステップを含む、テンプルの製造方法を用いることができる。
テンプルの回動面と交差する向きに貫通する貫通孔をテンプル部材に形成し、連結部の湾曲方向が貫通孔の貫通方向と交差する向きとなるようにして屈曲部材を貫通孔内に嵌め込むことにより、先端が２つの位置に切り換えて配置されるテンプルを得ることができる。【００３３】
このようなテンプルの製造方法において、貫通孔の内部において貫通孔の幅方向に突出する凸部がテンプル部材に形成され、連結部の湾曲の両側において屈曲部材に貫通孔が形成され、屈曲部材をテンプル部材の貫通孔内に嵌め込んだときにテンプル部材の凸部が屈曲部材の貫通孔に嵌り込むことによって屈曲部材をテンプル部材に固定することができる。
貫通孔内において屈曲部材をテンプル部材に固定するために、貫通孔の内部に凸部を形成し、テンプル部材の凸部を屈曲部材の貫通孔に嵌め込むことができる。【００３４】
また、レンズを保持するための前枠部の両側において延びるようにして回動可能に形成され、長手方向の先端側に内外方向に変形する変形領域部を備えたテンプル部材を含むテンプルの製造方法であって、前記変形領域部において前記テンプル部材の回動方向の両側に屈曲可能な舌状部を有する前記テンプル部材を準備するステップ、互いに対向する位置に形成される２つの端部と、可撓性を有する材料を用いて形成され２つの前記端部を連結するようにして上下方向に並置される一対の連結部と、一対の前記連結部に挟まれた位置において前記連結部が湾曲した状態で２つの前記端部を連結する弾性部とで構成され、互いに逆向きの湾曲状態を切り換え可能に形成される屈曲部材を準備するステップ、前記連結部の湾曲方向が前記テンプル部材の回動方向の両側となるようにして前記テンプル部材の前記舌状部に前記屈曲部材を固定するステップ、および前記舌状部および前記屈曲部材を覆うようにして前記テンプル部材の先端側に屈曲可能なキャップ部材を被せるステップを含む、テンプルの製造方法を用いることができる。
変形領域部においてテンプル部材に屈曲可能な舌状部を形成し、連結部の湾曲方向がテンプル部材の回動方向の両側となるようにしてテンプル部材の舌状部に屈曲部材を固定することにより、先端が２つの位置に切り換えて配置されるテンプルを得ることができる。【００３５】
このようなテンプルの製造方法において、舌状部の屈曲方向に突出する凸部が舌状部に形成され、連結部の湾曲の両側において屈曲部材に貫通孔が形成され、テンプル部材の凸部が屈曲部材の貫通孔に嵌り込むことによって屈曲部材をテンプル部材に固定することができる。
屈曲部材をテンプル部材に固定するために、屈曲可能な舌状部に凸部を形成し、舌状部の凸部を屈曲部材の貫通孔に嵌め込むことができる。
【発明の効果】
【００３６】
この発明によれば、眼鏡フレームの装着が容易な状態と、眼鏡フレームのホールド性が良好な状態とを切り換えることができ、その切り換えを音で確認することができる眼鏡フレーム用のテンプルを得ることができる。
また、屈曲部材をテンプル部材と別部材とし、テンプル部材内に屈曲部材を嵌め込むことにより、上述のような効果に加えて、様々なデザインを採用することができる、眼鏡フレーム用のテンプルと、その製造方法を得ることができる。【００３７】
この発明の上述の目的，その他の目的，特徴および利点は、図面を参照して行う以下の発明を実施するための形態の説明から一層明らかとなろう。
【図面の簡単な説明】
【００３８】
【図１】図１は、第１の実施形態に係るテンプルの構成図であり、図１（ａ）は、第１の実施形態に係るテンプルを備えた眼鏡フレームの、連結部が第１姿勢の時の平面図であり、図１（ｂ）は、同眼鏡フレームの側面図であり、図１（ｃ）は、連結部が第２姿勢の時の同眼鏡フレームの平面図である。
【図２】図２は、同実施形態に係るテンプルが備える屈曲部材の構成図であり、図２（ａ）は、左側のテンプルの屈曲部材を連結部が第１姿勢のときに外方からみた側面図であり、図２（ｂ）は、同連結部が第１姿勢のときの同屈曲部材の平面図であり、図２（ｃ）は、同連結部が第２姿勢のときの同屈曲部材の平面図である。
【図３】図３は、同実施形態に係る屈曲部材の姿勢が切り換わる動作を説明する図であり、図３（ａ）は、連結部が第１姿勢のときの屈曲部材の平面図であり、図３（ｂ）は、連結部が第１姿勢及び第２姿勢のいずれか一方からいずれか他方に切り換わる途中での屈曲部材の平面図であり、図３（ｃ）は、連結部が第２姿勢のときの屈曲部材の平面図である。
【図４】図４は、第２の実施形態に係るテンプルを備えた眼鏡フレームの側面図であり、図４（ａ）は、テンプルを構成する前部に、テンプルを構成する後部が取り付けられた状態での眼鏡フレームの側面図であり、図４（ｂ）は、同前部から同後部が取り外された状態での側面図である。
【図５】図５は、第３の実施形態に係る屈曲部材の姿勢が切り換わる動作を説明する図であり、図５（ａ）は、第３の実施形態に係るテンプルを備えた眼鏡フレームの、連結部が第１姿勢のときの平面図であり、図５（ｂ）は、同眼鏡フレームの、連結部が第２姿勢のときの平面図であり、図５（ｃ）は、第１の実施形態のテンプルの平面図である。
【図６】図６は、第４の実施形態に係るテンプルの構成を示す図であり、図６（ａ）は、同テンプルを備えた眼鏡フレームの、連結部が第１姿勢のときの平面図であり、図６（ｂ）は、同眼鏡フレームの、湾曲部が第２姿勢のときの平面図であり、図６（ｃ）は、同眼鏡フレームの左側のテンプルの連結部が第１姿勢のときの斜視図である。
【図７】この発明のテンプルを用いた眼鏡の他の例を示す図解図である。
【図８】図７に示す眼鏡の斜視図である。
【図９】図７に示す眼鏡の蝶番部を示す図解図である。
【図１０】図７に示す眼鏡に用いられるこの発明のテンプルを示す図解図である。
【図１１】この発明のテンプルに用いられる屈曲部材を示す平面図である。
【図１２】図１１に示す屈曲部材が一方向に湾曲した状態を示す斜視図である。
【図１３】図１２に示す屈曲部材の上面図である。
【図１４】図１１に示す屈曲部材が一方向に湾曲した状態から他方向に湾曲した状態に切り換わる途中の段階を示す斜視図である。
【図１５】図１４に示す屈曲部材の上面図である。
【図１６】図１１に示す屈曲部材が他方向に湾曲した状態を示す斜視図である。
【図１７】図１６に示す屈曲部材の上面図である。
【図１８】図１０に示すテンプルの変形領域部を示す断面図解図である。
【図１９】図７に示す眼鏡のテンプルの先端側が変位した状態を示す図解図である。
【図２０】屈曲部材が組み込まれたテンプルについて、屈曲部材が第１姿勢のときのテンプルの状態を示す断面図である。
【図２１】屈曲部材が組み込まれたテンプルについて、屈曲部材が第１姿勢から第２姿勢に切り換わる途中のテンプルの状態を示す断面図である。
【図２２】屈曲部材が組み込まれたテンプルについて、屈曲部材が第２姿勢のときのテンプルの状態を示す断面図である。
【図２３】この発明のテンプルの他の例を示す図解図である。
【図２４】図２３に示すテンプルを得るための第１部材と第２部材とを示す上面図である。
【図２５】図２４に示す第１部材および第２部材を示す斜視図である。
【図２６】図２３に示すテンプルを得るためにテンプル部材の貫通孔に屈曲部材を挿入する状態を示す図解図である。
【図２７】この発明のテンプルのさらに他の例を示す分解斜視図である。
【図２８】図２７に示すテンプルの舌状部に屈曲部材を取り付ける状態を示す図解図である。
【図２９】この発明のテンプルに用いられる屈曲部材の他の例を示す斜視図である。
【図３０】図２９に示す屈曲部材が一方向に湾曲した状態を示す上面図である。
【図３１】図２９に示す屈曲部材が他方向に湾曲した状態を示す上面図である。
【図３２】図２９に示す屈曲部材を組み込んだテンプルについて、屈曲部材が第１姿勢のときのテンプルの状態を示す断面図である。
【図３３】図２９に示す屈曲部材を組み込んだテンプルについて、屈曲部材が第２姿勢のときのテンプルの状態を示す断面図である。
【発明を実施するための形態】
【００３９】
以下、添付図面を適宜参照しつつ、本発明の第１の実施形態に係るテンプルについて説明する。
図１は、本実施形態に係るテンプルの構成図であり、図１（ａ）は、本実施形態に係るテンプルを備えた眼鏡フレームの、連結部が第１姿勢の時の平面図であり、図１（ｂ）は、同眼鏡フレームの側面図であり、図１（ｃ）は、連結部が第２姿勢の時の同眼鏡フレームの平面図である。図２は、本実施形態に係るテンプルが備える屈曲部材の構成図であり、図２（ａ）は、左側のテンプルの屈曲部材を連結部が第１姿勢のときに外方からみた側面図であり、図２（ｂ）は、同連結部が第１姿勢のときの同屈曲部材の平面図であり、図２（ｃ）は、同連結部が第２姿勢のときの同屈曲部材の平面図である。
眼鏡フレーム１は、レンズを保持する前枠部２と、前枠部２の両端からそれぞれ後方に延出する左右のテンプル３と、前枠部２の両端部で左右のテンプル３をそれぞれ開閉させるための蝶番４とを具備する。
テンプル３は、前枠部２に対して交差する向きに延びる位置と、前枠部２に沿って延びる位置との間で開閉可能に形成されるテンプル部材３ａを含む。テンプル部材３ａは、その長手方向の一部に内外方向に変形する変形領域部３１を備えている。
変形領域部３１には、内外方向の両側に凸状となる逆向きの屈曲状態を切り換えることができる屈曲部材３２が設けられる。屈曲部材３２は、長手方向において対向する２つの端部３３と、端部３３間を連結するようにして上下方向に並置された一対の連結部３４と、一対の連結部３４に挟まれた弾性部３５とを具備している。
屈曲部材３２の材料としては、例えば、マグネシウム、アルミニウム、チタン、ステンレス鋼等の金属や樹脂を用いることができる。
連結部３４は、可撓性を有して内外方向に湾曲する。
弾性部３５は、弾性を有し、前後方向に弾性的に伸長する。弾性部３５は、内方向に突出した凸形状を有しており、この凸形状の屈曲箇所の曲がりが伸びることにより、前後方向に弾性的に伸長する。尚、弾性部３５は、このような構造に限られず、前後方向に弾性的に伸長するのなら、どのような構造でもよい。
連結部３４と弾性部３５との間には、スリットが設けられており、連結部３４と弾性部３５とは互いに上下方向に分離している。
連結部３４の前端部３４ａと弾性部３５の前端部３５ａとは一方の端部３３に接続され、連結部３４の後端部３４ｂと弾性部３５の後端部３５ｂとは他方の端部３３に接続されている。また、連結部３４の長さは、弾性部３５の前後方向の長さより長い。
そして、連結部３４の長さが弾性部３５の前後方向の長さより長く、連結部３４と弾性部３５とは、それぞれの前端部と後端部において対向する２つの端部３３に接続されているので、連結部３４は、外方に向けて凸状に湾曲した第１姿勢と、内方に向けて凸状に湾曲した第２姿勢との２つの姿勢に切り換わることができる。尚、連結部３４が第１姿勢のときの屈曲部材３２の姿勢、つまり変形領域部３１の姿勢も第１姿勢と呼び、連結部３４が第２姿勢のときの屈曲部材３２の姿勢、つまり変形領域部３１の姿勢も第２姿勢と呼ぶ。
【００４０】
次に、連結部３４の姿勢が切り換わるときの動作について説明する。
図３（ａ）は、連結部３４が第１姿勢のときの屈曲部材３２の平面図であり、３（ｂ）は、連結部３４が第１姿勢及び第２姿勢のいずれか一方からいずれか他方に切り換わる途中での屈曲部材３２の平面図であり、図３（ｃ）は、連結部３４が第２姿勢のときの屈曲部材３２の平面図である。Ｌ１は、弾性部３５の前後方向の長さを示し、Ｌ２は、連結部３４の長さを示す。
【００４１】
連結部３４が第１姿勢のときに、連結部３４を内方に付勢する力が加わると、連結部３４と弾性部３５の接続箇所Ｐに連結部３４の延伸方向に向けて力Ｆが働く。そして、力Ｆが、接続箇所Ｐを内方に付勢する分力Ｆ１と、弾性部３５を伸長させる分力Ｆ２とに分かれる。
分力Ｆ２は、弾性部３５を伸長させようとするが、分力Ｆ２に対して弾性部３５には縮もうとする弾性力が働く。
連結部３４を内方に付勢する力が大きいと、弾性部３５の伸長する長さが長くなり、連結部３４は内方に湾曲しやすくなる。しかし、連結部３４を内方に付勢する力が小さいと、弾性部３５の伸長する長さが短いので、連結部３４は内方に湾曲せず、第１姿勢が維持される。
そして、連結部３４を内方に付勢する力が大きくなると、弾性部３５が伸長され、弾性部３５の前後方向の長さＬ１が連結部３４の長さＬ２と同じになる。
弾性部３５の前後方向の長さＬ１が連結部３４の長さＬ２と同じになった後に、更に連結部３４を内方に付勢する力が加わると、連結部３４は、真っ直ぐな状態から内方に向けて凸状に湾曲した状態になり、その後は、連結部３４を内方に付勢する力を取り除いても、弾性部３５の弾性によって内方に湾曲する。そして、連結部３４は第２姿勢になる（図３（ｃ））。このときに、屈曲部材３２の材料の種類や弾性部３５の弾性力の大きさによっては、屈曲部材３２が振動し、音を発生するので、音によっても姿勢が切り換わったことを認識することができる。
連結部３４が、第２姿勢から第１姿勢に切り換わるときには、図３（ｃ）、図３（ｂ）、図３（ａ）の順で切り換わる。
上記では説明を簡単にするために、弾性部３５の前後方向の長さＬ１が連結部３４の長さＬ２と同じになった後に姿勢が切り換わるとしたが、必ずしも弾性部３５の前後方向の長さＬ１が連結部３４の長さＬ２と同じになる必要はなく、連結部３４が湾曲した状態であり、弾性部３５の前後方向の長さＬ１が連結部３４の長さＬ２よりも短い状態で、姿勢が切り換わることもできる。
【００４２】
本実施形態に係るテンプル３を備えた眼鏡フレーム１では、使用者が眼鏡フレーム１を装着する際に連結部３４が第２姿勢に切り換わると、テンプル部材３ａの後端部が外方に向かうように連結部３４が内方に向けて凸状に湾曲するので、左右のテンプル部材３ａの後端部間の距離が比較的広くなり、これにより、眼鏡フレーム１を装着しやすくなる。
また、眼鏡フレーム１の装着後には、連結部３４を第１姿勢に切り換えることにより、テンプル部材３ａの後端部が内方に向かうように連結部３４が外方に向けて凸状に湾曲するので、テンプル部材３ａが使用者の顔側面にフィットされた状態で維持される。
これにより、従来よりも眼鏡フレーム１のホールド性を高めることができる。また、眼鏡フレーム１を取り外す際には、連結部３４を第２姿勢に切り換えることでテンプル部材３ａの後端部が外方に向かうので、左右のテンプル部材３ａの後端部間の距離が比較的広くなり、容易に眼鏡フレーム１を取り外すことができる。
【００４３】
次に、第２の実施形態に係るテンプルについて図４を参照して説明する。
図４は、本実施形態に係るテンプルを備えた眼鏡フレームの側面図であり、図４（ａ）は、テンプルを構成する前部に、テンプルを構成する後部が取り付けられた状態での眼鏡フレームの側面図であり、図４（ｂ）は、同前部から同後部が取り外された状態での側面図である。
第１の実施形態に係るテンプルは、前後方向に取り外すことができない一体物から成っているが、本実施形態に係るテンプルは、前後方向に取り外すことができる構成となっており、それ以外の構成は、第１の実施形態に係るテンプルと同じである。
本実施形態に係るテンプル部材３ａは、眼鏡フレーム１ａの前枠部２に取り付け可能に構成される前部４と、前部４に着脱可能に取り付けられる後部５とからなり、後部５は、変形領域部３１を具備している。
後部５は、前端部に前方に突出した挿入部５１を具備しており、前部４は後端部に挿入部５１を挟持する挟持穴４１を具備している。
挿入部５１を挟持穴４１に挿入することにより、後部５を前部４に取り付けることができる。後部５を前部４から取り外すときには、挿入部５１を挟持穴４１から引き抜けばよい。
尚、後部５と前部４とを着脱可能にする構成は、上述した構成に限らず、後部５と前部４とが着脱可能であればどのような構成でもよい。例えば、後部５と前部４とをねじで固定するようにしてもよい。
【００４４】
変形領域部３１を具備する後部５が前部４から着脱可能なので、後部５を取り換えることができる。例えば、第１姿勢と第２姿勢における連結部の湾曲の程度の異なる後部５を複数用意すれば、後部を取り換えるだけで、第１姿勢と第２姿勢における連結部の湾曲の程度を変えることができるので、容易に眼鏡フレーム１ａのホールド性を調整することができる。また、変形領域部３１に不具合が生じても、テンプル部材３ａ全体を取り換えずに、後部５を取り換えればよいので低コストになる。また、変形領域部３１を具備しない後部を用意し、そのような後部と取り換えることにより、従来のようなテンプルとして使用することもできる。
【００４５】
次に、第３の実施形態に係るテンプルについて図５を参照して説明する。
図５は、本実施形態に係る屈曲部材の姿勢が切り換わる動作を説明する図であり、図５（ａ）は、本実施形態に係るテンプルを備えた眼鏡フレームの、連結部が第１姿勢のときの平面図であり、図５（ｂ）は、同眼鏡フレームの、連結部が第２姿勢のときの平面図であり、図５（ｃ）は、第１の実施形態のテンプルの平面図である。
テンプル部材３ｂは、眼鏡フレーム１ｂの前枠部２に取り付け可能に構成されるテンプル本体３ｂ１と、前端部３ｂ２１が前記テンプル本体３ｂ１に取り付けられる補助テンプル３ｂ２とを備えている。補助テンプル３ｂ２は、テンプル本体３ｂ１の内側面に対向して取り付けられており、補助テンプル３ｂ２の後端部は、テンプル本体３ｂ１の後端部に対向する位置まで延びている。前端部３ｂ２１を前記テンプル本体３ｂ１に取り付ける方法には、例えば、ねじ止め、接着等が挙げられ、また、テンプル本体３ｂ１と前端部３ｂ２１とを一体成形してもよい。
補助テンプル３ｂ２は、長手方向の一部に、変形領域部３１を具備している。変形領域部３１の構成は、第１の実施形態に係るテンプル部材３ａが具備する変形領域部３１と同じである。
【００４６】
次に、連結部の姿勢が切り換わる動作について説明する。
補助テンプル３ｂ２がテンプル本体３ｂ１と対向するように配置されているので、変形領域部３１における屈曲部材３２の連結部３４が第２姿勢から第１姿勢に切り換わるときに、補助テンプル３ｂ２の後端部がテンプル本体３ｂ１に当接され、当接している箇所を支点として変形領域部３１に力が加わることにより、切り換わることができる。
第１の実施形態に係るテンプル３では、屈曲部材３２の連結部３４の姿勢が第２姿勢から第１姿勢に切り換わるのに、図５（ｃ）に示すように、変形領域部３１付近を内方から外方に押圧する力Ｆ３と変形領域部３１の前後を外方から内方に押圧する力Ｆ４が必要である。
しかし、本実施形態では、図５（ｂ）に示すように、屈曲部材３２の連結部３４が第２姿勢のときに、補助テンプル３ｂ２の後端部がテンプル本体３ｂ１の後端部の内側面に当接している。補助テンプル３ｂ２の変形領域部３１付近と、変形領域部３１に対向するテンプル本体３ｂ１の箇所が挟まれるように力Ｆ５が加われば、当接している補助テンプル３ｂ２の後端部とテンプル本体３ｂ１の後端部とを支点として連結部３４が変形するので、容易に第２姿勢から第１姿勢に切り換わる。
【００４７】
次に、第４の実施形態に係るテンプルについて図６を参照して説明する。
図６は、本実施形態に係るテンプルの構成を示す図であり、図６（ａ）は、本実施形態に係るテンプルを備えた眼鏡フレームの、連結部が第１姿勢のときの平面図であり、図６（ｂ）は、同眼鏡フレームの、湾曲部が第２姿勢のときの平面図であり、図６（ｃ）は、同眼鏡フレームの左側のテンプルの連結部が第１姿勢のときの斜視図である。
眼鏡フレーム１ｃはテンプル３を含み、テンプル３は、前枠部２に取り付け可能に構成されるテンプル部材３ｃを備えている。
テンプル部材３ｃは、長手方向の一部に可撓性を有し内外方向に湾曲する湾曲部６を備えている。
湾曲部６は、厚みが湾曲部６の前後に隣接する隣接部位３ｄの厚さよりも薄くなるように形成されている。
そして、湾曲部６が、第１の実施形態に係るテンプル部材の変形領域部３１と同様に、第１姿勢または第２姿勢に姿勢を切り換えることができ、切り換わった後は、所定の大きさの力が加わるまではその姿勢を維持するように、湾曲部６および隣接部位３ｄの材質が選択されているとともに、湾曲部６および隣接部位３ｄの形状が設計されている。湾曲部６および隣接部位３ｄの材質としては、例えば、マグネシウム、アルミニウム等の金属や樹脂である。
【００４８】
湾曲部６が外方に向けて凸状に湾曲した第１姿勢と、内方に向けて凸状に湾曲した第２姿勢とに切り換わるので、第１の実施形態に係るテンプル部材と同様の効果を得ることができる。また、湾曲部の構成が簡単なので、低コストにすることができる。
【００４９】
上述の各実施形態において、テンプルにおける変形領域部において、屈曲部材がテンプル部材と一体的に構成されている例を示したが、屈曲部材は、テンプル部材とは別部材として構成されてもよい。次に、別部材として形成された屈曲部材を用いたテンプルを医療用サングラスまたはスポーツサングラスに適用した例について説明する。
【００５０】
図７はこの発明のテンプルを用いた眼鏡の一例を示す図解図であり、図８はこの眼鏡の斜視図である。眼鏡１０は、左右のレンズ１２を含む。この発明のテンプルは、特に医療用サングラスやスポーツサングラスなどに用いられて大きな効果を得ることができるものである。医療用サングラスとしては、たとえば白内障や黄斑変性などの手術後に目を保護するために用いられるものがある。このような医療用サングラスにおいては、目に悪い影響を与える５００ｎｍ以下の短波長光をカットし、それ以外の光を多く通す遮光レンズが用いられる。また、スポーツサングラスにおいても、眩しさの原因となる短波長光をカットするために、遮光レンズが用いられる。なお、レンズ１２は、通常、ある程度湾曲するように形成されているが、特に、スポーツサングラスなどの場合、頭部の横から風や光が入らないように、顔の前面から目尻側に向かって大きく湾曲するように形成される。
【００５１】
一般的に、眼鏡を作製する際に、顔とレンズとが所定の間隔となるように調整される。しかしながら、激しい動作などによって、眼鏡が所定の装着位置からずれた場合、顔とレンズとの隙間が大きくなり、この隙間から光が入ってくる場合がある。特に、目の手術後の患者の場合、短波長光が目に入ることを防止する必要がある。また、スポーツ選手にとっても、激しい動きによりスポーツサングラスが所定の位置からずれると、顔とレンズの隙間から入ってくる短波長光によって眩しさを感じ、不調な結果に終わることが考えられる。そこで、これらの眼鏡１０においては、所定の装着位置からずれにくいことが求められる。この発明は、このような眼鏡を得ることができるテンプルに関するものである。
【００５２】
眼鏡１０が医療用サングラスやスポーツサングラスである場合、上述のように、レンズ１２は、顔の前面から側面に向かって湾曲するようにして、目を覆うように形成される。したがって、レンズ１２の上端部が目の上側に形成され、レンズ１２の下端部が目の下側に形成され、レンズ１２の一方側端部が鼻に沿って目頭を覆うように形成され、レンズ１２の他方側端部が目尻を覆うように形成される。
【００５３】
レンズ１２は、フレーム１４の前枠部２０に取り付けられる。前枠部２０は、レンズ１２を支持するためのリム２２を含む。リム２２はレンズ１２の周囲を囲繞するように形成され、リム２２にレンズ１２が嵌め込まれる。つまり、リム２２は、目の上側および下側において、鼻から左右の目尻に至る領域に亘って湾曲する形状に形成される。したがって、医療用サングラスやスポーツサングラスなどの場合、リム２２は、目の上側および下側の領域に沿って、眼鏡１０を装着した人の目の前方に膨らむように湾曲して形成される。
【００５４】
２つのリム２２の対向部分は、斜め下方向に向かって徐々に広がるように形成される。このリム２２の対向部分に、リム２２の湾曲方向の内側に向かって突出するパッド２４が形成される。パッド２４は、たとえば柔らかい樹脂で形成される。そして、パッド２４は、眼鏡１０を装着したときに鼻に当たって、眼鏡１０を所定の位置で安定させる。左右のレンズ１２を支持するためのリム２２は、ブリッジ２６で連結される。
【００５５】
さらに、ブリッジ２６に連結された２つのリム２２の両端部には、智２８が形成される。これらのリム２２、パッド２４、ブリッジ２６および智２８などによって前枠部２０が形成される。智２８は、リム２２の端部に形成される。智２８には、蝶番部４０が形成される。この蝶番部４０を介して、テンプル３０が回動して折り畳み可能に智２８に取り付けられる。蝶番部４０は、図９に示すように、リム２２の湾曲の内側に向かって開口する切込み部４２を含む。この切込み部４２に向かって、蝶番部４０の下面に貫通孔４４が形成される。さらに、蝶番部４０の切込み部４２の内側において、貫通孔４４に対向する面に雌ネジ部４６が形成される。したがって、貫通孔４４を通して切込み部４２内を通過するように、ネジ４８を雌ネジ部４６に螺入することができる。
【００５６】
テンプル３０は長尺状のテンプル部材３０ａを含み、テンプル部材３０ａの端部には、蝶番部４０の切込み部４２に嵌り込む突出部３７が形成される。突出部３７は例えば板状に形成され、板状の突出部３７に貫通孔３８が形成される。突出部３７は蝶番部４０の切込み部４２に嵌め込まれ、この状態で、ネジ４８が蝶番部４０の貫通孔４４および突出部３７の貫通孔３８に通されて、雌ネジ部４６に螺入される。したがって、テンプル部材３０ａは、リム２２に対して開閉可能に蝶番部４０に取り付けられる。なお、切込み部４２は、リム２２の湾曲の内側に向かって開口するように形成されているため、テンプル部材３０ａを開いたとき、突出部３７が切込み部４２の内側の壁に当たって、所定の位置より外側には開かないようになっている。
【００５７】
さらに、蝶番部４０から延びるテンプル部材３０ａの長手方向の先端側には、変形領域部３９が形成される。テンプル部材３０ａは、蝶番部４０から変形領域部３９まで略ストレート状に延びるように形成されてもよいし、テンプル部材３０ａの先端側の変形領域部３９において、若干下方向に下がるように形成されてもよい。そして、眼鏡１０を装着したときに、変形領域部３９が耳にかかって、眼鏡１０の位置を安定させる。そのため、眼鏡１０を装着したとき、変形領域部３９は耳の上部から後方、つまり後頭部側に延びるように形成される。
【００５８】
テンプル部材３０ａの変形領域部３９には、図１０に示すように、窪み部５０が形成される。窪み部５０は、たとえばテンプル部材３０ａの開閉方向の内側に形成される。そして、この窪み部５０は、変形領域部３９の長手方向の先端部を除いて、変形領域部３９の長手方向および幅方向のほぼ全域にわたって、平面視四角形状に形成される。ここで、長手方向とは、眼鏡１０を装着したとき、耳から後頭部側に向かう変形領域部３９の向きのことであり、幅方向とは、顔の上下方向に対応する変形領域部３９の向きのことである。窪み部５０の底面５０ａおよび幅方向の両側における側壁５０ｂは、テンプル部材３０の変形領域部３９が開閉方向に屈曲変形できる厚みとなるように形成される。窪み部５０の底面５０ａには、２つの凸部５２ａ，５２ｂが形成される。凸部５２ａ，５２ｂは、窪み部５０の長手方向の両端側に形成される。図１０では、一方の凸部５２ａが平面視四角形状に形成され、他方の凸部５２ｂが平面視略Ｄ字状に形成されているが、これらの形状は任意に変更可能である。
【００５９】
テンプル部材３０ａの窪み部５０には、全体として長尺板状の屈曲部材６０が嵌め込まれる。屈曲部材６０は、窪み部５０の長手方向のほぼ全域にわたって延びる長さ、および窪み部５０の幅より小さい幅となるように形成される。屈曲部材６０は、たとえばチタンやステンレス鋼などの金属のような弾性を有する材料で形成される。屈曲部材６０は、第１の実施例においてテンプル部材３ａと一体的に形成された屈曲部材３２と同様の構造を有する。つまり、屈曲部材６０は、図１１ないし図１３に示すように、長手方向において互いに対向する板状の端部６２ａ，６２ｂを含む。一方の端部６２ａには、屈曲部材６０の全体的な幅より小さい幅を有する突出部６４が形成される。突出部６４は、屈曲部材６０の幅方向の一方側に向かって若干傾くように突出して形成される。この突出部６４には、厚み方向に貫通する貫通孔６６ａが形成される。突出部６４の貫通孔６６ａは、テンプル部材３０ａの窪み部５０に形成された一方の凸部５２ａに対応する四角形状に形成される。また、屈曲部材６０の他方の端部６２ｂは、屈曲部材６０の幅方向の他方側に向かって若干傾くように延びて形成される。屈曲部材６０の他方の端部６２ｂには、テンプル部材３０ａの窪み部５０に形成された他方の凸部５２ｂに対応する略Ｄ字状の貫通孔６６ｂが形成される。
【００６０】
２つの端部６２ａ，６２ｂの間には、２つの連結部６８ａ，６８ｂが形成される。連結部６８ａ，６８ｂは、屈曲部材６０の幅方向の両側において、２つの端部６２ａ，６２ｂを結ぶ帯状に形成される。また、屈曲部材６０の幅方向の中央部には、２つの連結部６８ａ，６８ｂと間隔を隔てて、２つの端部６２ａ，６２ｂを結ぶ帯状の弾性部７０が形成される。弾性部７０は、帯状の中間部において厚み方向に折り曲げて形成される略長手方向断面コ字状の折り曲げ部７０ａを有する。そして、弾性部７０に引張り力が加わったときに、折り曲げ部７０ａが伸びて、その弾性により引張り力に抗する力が生じる。弾性部７０は、その両側の連結部６８ａ，６８ｂが湾曲した状態で、２つの端部６２ａ，６２ｂを直線状に引き付けるように連結している。
【００６１】
屈曲部材６０の湾曲状態の切り換えは、図３を用いて説明したのと同様にして行われる。すなわち、連結部６８ａ，６８ｂは、たとえば図１２および図１３に示すように、その厚み方向の一方側に向かって突出するように湾曲している。このとき、弾性部７０の折り曲げ部７０ａは、連結部６８ａ，６８ｂの湾曲の凹み側から突出する向きに配置される。ここで、連結部６８ａ，６８ｂの湾曲が小さくなるように力を加えると、図１４および図１５に示すように、連結部６８ａ，６８ｂが非湾曲状態となり、弾性部７０が引っ張られた状態となる。そのため、弾性部７０の弾性により、非湾曲状態の連結部６８ａ，６８ｂに圧縮する向きの力が加わり、最初の湾曲と逆向きの湾曲状態となるようにして、連結部６８ａ，６８ｂが湾曲する。このとき、図１６および図１７に示すように、弾性部７０の折り曲げ部７０ａは、連結部６８ａ，６８ｂの湾曲の凹み側に向かって突出する向きに配置される。このように、屈曲部材６０は、互いに逆向きに湾曲する２つの湾曲状態、つまり第１姿勢と第２姿勢とを切り換えることができる。このような屈曲部材６０においては、弾性部７０の弾性によって２つの湾曲状態が切り換えられるときに、弾性部７０が延びたときに蓄積されたエネルギーが屈曲部材６０の振動エネルギーに変換され、屈曲部材６０が振動して音が発生する。このように、屈曲部材６０の材料としては、可撓性を有し、その姿勢を切り換えたときに、音を発生する材料で形成される。また、屈曲部材６０の厚みなどの寸法を変えることにより、姿勢の切り換えに要する力が変わる。そこで、眼鏡を装着した状態で、手の力で屈曲部材６０の姿勢を切り換えることができるように、屈曲部材６０の寸法が設定される。
【００６２】
このような屈曲部材６０が、図１８に示すように、テンプル部材３０ａの窪み部５０に嵌め込まれる。そして、図１８に示すように、屈曲部材６０の一方の貫通孔６６ａにテンプル部材３０ａの窪み部５０の底面５０ａに形成された一方の凸部５２ａが嵌り込み、屈曲部材６０の他方の貫通孔６６ｂにテンプル部材３０ａの窪み部５０の底面５０ａに形成された他方の凸部５２ｂが嵌り込むようにして、屈曲部材６０が窪み部５０内でテンプル部材３０ａに固定される。さらに、屈曲部材６０を有する窪み部５０を覆うようにして、カバー部材７２が取り付けられる。カバー部材７２は、エラストマーなどのゴム状の弾性体などで形成される。カバー部材７２は、シート状の材料を用いて窪み部５０の形状に対応する形状に形成され、その外周部に窪み部５０に嵌め込むための突出枠が形成される。そして、カバー部材７２を窪み部５０に嵌め込むことにより、カバー部材７２がテンプル部材３０ａに取り付けられて、テンプル３０が形成される。したがって、テンプル部材３０ａとカバー部材７２とで囲まれた部分に空洞部７４が形成され、この空洞部７４内に屈曲部材６０が収納される。
【００６３】
この眼鏡１０においては、テンプル部材３０ａは、たとえば、セルロイド、アセテート、ＴＲ−９０などの材料を用いて形成することができるが、特に、ねばりのあるＴＲ−９０を用いることが好ましい。そして、変形領域部３９において、テンプル部材３０ａに窪み部５０が形成されているため、変形領域部３９においてテンプル部材３０ａが薄くなっており、この部分が変形可能となる。したがって、空洞部７４内においてテンプル部材３０ａに屈曲部材６０を固定することにより、屈曲部材６０の湾曲状態に応じて、変形領域部３９におけるテンプル３０の形状が変化する。このように、変形領域部３９における窪み部５０に屈曲部材６０が収納されるため、変形領域部４８の厚みは、屈曲部材６０の連結部６８ａ，６８ｂおよび弾性部７０の間の外側最大幅と、窪み部５０におけるテンプル３０の壁面の厚みと、カバー部材７２の厚みの合計より大きい厚みとなるが、眼鏡１０の装着時に違和感のない厚みの範囲内であることが好ましい。ここで、変形領域部３９の厚みとは、眼鏡１０を装着したとき、顔の側面から外側に向かう向きに対応する変形領域部３９の寸法のことである。
【００６４】
屈曲部材６０が第１姿勢のとき、図７に示すように、２つのテンプル３０の変形領域部３９の先端が互いに近づくように変形する。また、屈曲部材６０が第２姿勢のとき、図１９に示すように、２つのテンプル３０の変形領域部３９の先端が互いに遠ざかるように変形する。つまり、図２０に示すように、屈曲部材６０が第１姿勢のとき、テンプル３０の変形領域部３９の先端が互いに近づくように変形する。そして、屈曲部材６０の湾曲状態を切り換えるために、連結部６８ａ，６８ｂを非湾曲状態にすると、図２１に示すように、テンプル３０の変形領域部３９がほぼ直線状となる。さらに、屈曲部材６０を第２姿勢にすることにより、図２２に示すように、テンプル３０の変形領域部３９の先端が互いに遠ざかるように変形する。
【００６５】
したがって、眼鏡１０を装着した状態で、図７に示すように、テンプル３０の変形領域部３９の先端が互いに近づくように変形させることにより、耳の後で変形領域部４８が後頭部にフィットする。そのため、眼鏡１０の位置が所定の装着位置からずれにくくなり、顔とレンズとの間の間隔を一定に保つことができる。それにより、設計通りの眼鏡の装着位置を保つことができ、顔と眼鏡１０との隙間から光が入りにくくなる。したがって、目の手術後に装着する医療用サングラスの場合、目に悪影響を与える光の進入を防止することができる。また、スポーツサングラスの場合、激しい動作があっても、眼鏡がずれることが防止され、選手の能力を十分に発揮させることができる。そして、図１９に示すように、２つのテンプル３０の変形領域部３９の先端が互いに離れるように変形させることにより、眼鏡１０の着脱を容易に行うことができる。
【００６６】
この眼鏡１０においては、空洞部７４内に屈曲部材６０が収納されていることにより、屈曲部材６０の湾曲状態を切り換えるときに発生する音が空洞部７４を介して外部に伝達される。したがって、テンプル３０の変形領域部３９の位置を切り換えるときに音が聞こえ、確実に位置の切り換えが行われたことを確認することができる。また、テンプル３０の内部に屈曲部材６０が取り付けられているため、外側から屈曲部材６０が見えない。そのため、テンプル３０の形状や模様を自由にデザインすることができる。
【００６７】
なお、屈曲部材６０の連結部６８ａ，６８ｂは、端部６２ａ，６２ｂの間で厚み方向に湾曲するように形成されるが、たとえば一方の端部６２ａと連結部６８ａ，６８ｂとの間の曲率を大きくしてもよい。この場合、図１８に示すテンプル部材３０ａにおいて、前枠部２０に近い位置におけるテンプル部材３０ａの曲率を大きくすることができる。このように、連結部６８ａ，６８ｂと端部６２ａ，６２ｂとの間の曲率を変えることにより、テンプル部材３０ａの曲がり方を調整することができる。また、連結部６８ａ，６８ｂ全体の曲率を調整することにより、変形領域部３９全体の曲率を調整することができる。
【００６８】
また、図１８に示す例では、弾性部７０の折り曲げ部７０ａが窪み部５０の開口部側に突出するように、屈曲部材６０がテンプル部材３０ａに取り付けられたが、弾性部７０の折り曲げ部７０ａが窪み部５０の底面５０ａ側に突出するように、屈曲部材６０がテンプル部材３０ａに取り付けられてもよい。このように、屈曲部材６０の取り付け方向にかかわらず、連結部６８ａ，６８ｂの湾曲の切り換えにより、テンプル部材３０ａの端部の向きを変えることができる。
【００６９】
なお、上述の例では、テンプル部材３０ａの開閉方向の内側に窪み部５０が形成されたが、テンプル部材３０ａの開閉方向の外側に窪み部５０が形成されてもよい。この場合においても、窪み部５０内に形成された凸部５２ａ，５２ｂが形成され、屈曲部材６０の貫通孔６６ａ，６６ｂに凸部５２ａ，５２ｂを嵌め込むことにより、窪み部５０内において屈曲部材６０をテンプル部材３０ａに固定することができる。
【００７０】
また、屈曲部材６０をテンプル３０内に取り付けるために、図２３に示すように、変形領域部３９において、テンプル部材３０ａに貫通孔７６を形成してもよい。貫通孔７６は、テンプル３０の回動面に交差する向きに貫通するようにして、変形領域部３９の長手方向に沿って延びるように形成される。図２３に示す例では、眼鏡１０の上側および下側に開口するように貫通して、変形領域部３９の長手方向に沿って延びるように貫通孔７６が形成されている。貫通孔７６内において、一方の壁面から他方の壁面に向かって突出するように、凸部５２ａ，５２ｂが形成される。凸部５２ａ，５２ｂは、貫通孔７６内に屈曲部材６０を挿入したとき、屈曲部材６０の貫通孔６６ａ，６６ｂに対応する位置に、かつ屈曲部材６０の貫通孔６６ａ，６６ｂに対応する形状に形成される。
【００７１】
このような貫通孔７６を有するテンプル部材３９を得るために、図２４および図２５に示すように、テンプル部材３９の厚み方向の中央部で切断した形状の第１部材７８ａと第２部材７８ｂが準備される。第１部材７８ａには、その長手方向に沿って、上側端部から下側端部に向かって凹部８０ａが形成される。凹部８０ａは、第１部材７８ａの上側端部および下側端部にまで達するように形成される。凹部８０ａ内において、第１部材７８ａの壁面から厚み方向に突出するように、凸部５２ａ，５２ｂが形成される。凸部５２ａ，５２ｂは、凹部８０ａの厚み方向の寸法より若干長く形成される。
【００７２】
第２部材７８ｂには、第１部材７８ａの凹部８０ａに対応する位置に、凹部８０ｂが形成される。したがって、第１部材７８ａと第２部材７８ｂを接着することにより、貫通孔７６が形成される。このとき、凸部５２ａ，５２ｂが凹部８０ａの厚み方向の寸法より長く形成されているため、第１部材７８ａと第２部材７８ｂとを接着したとき、凸部５２ａ，５２ｂと第２部材７８ｂの壁との間に、小さい隙間が形成される。
【００７３】
このように、第１部材７８ａと第２部材７８ｂとを接着することにより、貫通孔７６を有するテンプル部材３０ａが形成される。このテンプル部材３０ａの貫通孔７６に、図２６に示すように、屈曲部材６０が挿入される。ここで、貫通孔７６内において、凸部５２ａ，５２ｂと第２部材７８ｂの壁の間に小さい隙間があるため、この隙間を通って屈曲部材６０が貫通孔７６内に入り、屈曲部材６０の貫通孔６６ａ，６６ｂに凸部５２ａ，５２ｂが嵌り込む。このようにして、貫通孔７６内において、屈曲部材６０がテンプル部材３０ａに固定される。この状態で、テンプル部材３０ａの貫通孔７６の開口部が、エラストマーなどで形成されたカバー部材８２などで塞がれる。貫通孔７６の開口部が塞がれることにより、テンプル部材４２内に空洞部が形成され、この空洞部内に屈曲部材６０が収納される。
【００７４】
このようにして得られるテンプル３０についても、屈曲部材６０の湾曲状態を切り換えることにより、変形領域部３９の先端が閉じた状態と開いた状態の２つの位置にすることができる。したがって、眼鏡１０を所定の装着位置からずれないように装着することができるとともに、眼鏡１０の着脱を容易に行うことができる。また、屈曲部材６０がテンプル３０の外側から見えないため、テンプル３０の形状や模様を自由にデザインすることができる。さらに、空洞部内に屈曲部材６０が収納されるため、屈曲部材６０における連結部６８ａ，６８ｂの湾曲状態の切り換えによって発生した音が外部に伝達され、音によって変形領域部３９の姿勢の切り換えを確認することができる。
【００７５】
また、図２７に示すように、変形領域部３９において、テンプル部材３０ａの先端側に舌状部８４が形成されてもよい。ここで、舌状部８４は薄肉状に形成され、テンプル３０の開閉方向の両側に屈曲可能に形成される。舌状部８４には、テンプル３０の開閉方向の内側に突出する２つの凸部８６ａ，８６ｂが形成される。一方の凸部８６ａは、屈曲部材６０の貫通孔６６ａに対応して、平面視四角形状に形成される。また、他方の凸部８６ｂは、屈曲部材６０の貫通孔６６ｂに対応して、平面視略Ｄ字状に形成される。これらの凸部８６ａ，８６ｂは、図２８に示すように、その端部側において、屈曲部材６０の貫通孔６６ａ，６６ｂの幅よりも若干大きい幅となるように形成される。
【００７６】
この舌状部８４に、屈曲部材６０が取り付けられる。このとき、凸部８６ａが屈曲部材６０の貫通孔６６ａに嵌り込み、凸部８６ｂが屈曲部材６０の貫通孔６６ｂに嵌り込むことにより、屈曲部材６０が舌状部８４に取り付けられる。ここで、凸部８６ａ，８６ｂの端部側の幅が若干大きく形成されているため、屈曲部材６０を舌状部８４側に押し付けることにより、凸部８６ａ，８６ｂが屈曲部材６０の貫通孔６６ａ，６６ｂに圧入される。屈曲部材６０が舌状部８４に取り付けられると、凸部８６ａ，８６ｂの端部のふくらみにより、屈曲部材６０が舌状部８４から外れることを防止することができる。
【００７７】
屈曲部材６０が取り付けられた舌状部８４には、エラストマーなどのゴム状の材料で形成されたキャップ部材８８が取り付けられる。キャップ部材８８は、舌状部８４の先端側から舌状部８４と屈曲部材６０とを覆うように包み込む袋状に形成される。そして、キャップ部材８８を舌状部８４の先端部から根元部に向かって被せることにより、舌状部８４および屈曲部材６０がキャップ部材８８で被覆される。したがって、キャップ部材８８内に空洞部が形成され、この空洞部内において屈曲部材６０が舌状部８４に固定されている。そして、舌状部８４および屈曲部材６０を被覆するキャップ部材８８部分が、テンプル部材３０ａの先端側に形成される変形領域部３９となる。なお、キャップ部材８８の側面には、複数の小さい穴９０が形成され、この穴９０を介して屈曲部材６０の湾曲状態が切り換わる音を聞くことができる。
【００７８】
このようにして得られるテンプル３０についても、屈曲部材６０の湾曲状態を切り換えることにより、変形領域部３９の先端が閉じた状態と開いた状態の２つの位置に切り換えることができる。したがって、眼鏡１０を所定の装着位置からずれないように装着することができるとともに、眼鏡１０の着脱を容易に行うことができる。また、屈曲部材６０がテンプル３０の外側から見えないため、テンプル３０の形状や模様を自由にデザインすることができる。
【００７９】
また、別の屈曲部材の例として、図２９に示すように、１枚の板状体で形成された屈曲部材９２を採用することも可能である。この屈曲部材９２は、金属などのような弾性材料で板状に形成される。屈曲部材９２の長手方向の一方の端部には突出部９４が形成され、この突出部９４に例えばテンプル部材３０ａの一方の凸部５２ａ（８６ａ）に嵌り込む貫通孔９６ａが形成される。また、屈曲部材９２の他方の端部には、テンプル部材３０ａの他方の凸部５２ｂ（８６ｂ）が嵌り込む貫通孔９６ｂが形成される。
【００８０】
屈曲部材９２は、長手方向において一方向に湾曲するように形成される。さらに、屈曲部材９２の中間部には、厚み方向の一方向に膨らむ膨出部９８が形成される。膨出部９８は、たとえば図２５に示すように、屈曲部材９２の湾曲の外側からさらに突出するように形成される。このような屈曲部材９２は、たとえば金属板をプレス成形することによって得ることができる。
【００８１】
この屈曲部材９２が非湾曲状態となるように力を加えると、膨出部９８の形状が変化し、元の形状に戻ろうとする力が生じる。この力により、屈曲部材９２は再度屈曲状態に戻ろうとするが、図２６に示すように、最初の湾曲状態と逆向きの湾曲状態になることができる。このとき、膨出部９８は、屈曲部材９２の湾曲の内側から突出する形状となる。
【００８２】
このように、屈曲部材９２は、２つの湾曲状態を切り換えることができる。したがって、この屈曲部材９２をテンプル部材３０ａに取り付けても、変形領域部３９においてテンプル３０の先端が閉じた状態と開いた状態の２つの位置に切り換えることができる。つまり、図３０に示す状態が第１姿勢で、図３１に示す状態が第２姿勢である場合、図３１に示すように、屈曲部材９２が第１姿勢のとき、テンプル３０の先端が閉じた状態となり、屈曲部材９２が第２姿勢のとき、テンプル３０の先端が開いた状態となる。
【符号の説明】
【００８３】
１，１ａ，１ｂ，１ｃ  眼鏡フレーム
２    前枠部
３，３ａ，３ｂ，３ｃ  テンプル
３ｂ１  テンプル本体
３ｂ２  補助テンプル
３１  変形領域部
３２  連結部
３３  弾性部
４    前部
５    後部
６    湾曲部
１０  眼鏡
１２  レンズ
１４  フレーム
２０  前枠部
２２  リム
２４  パッド
２６  ブリッジ
２８  智
３０  テンプル
３０ａ  テンプル部材
３９  変形領域部
４０  蝶番部
６０  屈曲部材
６２ａ，６２ｂ  端部
６６ａ，６６ｂ  貫通孔
６８ａ，６８ｂ  連結部
７０  バネ部
７２  カバー部材
７４  空洞部
７６  貫通孔
８２  カバー部材
８４  舌状部
８６ａ，８６ｂ  凸部
８８  キャップ部材
９２  屈曲部材
９６ａ，９６ｂ  貫通孔
９８  膨出部
【図１】
2013002379.tif 000003
【図２】
2013002379.tif 000004
【図３】
2013002379.tif 000005
【図４】
2013002379.tif 000006
【図５】
2013002379.tif 000007
【図６】
2013002379.tif 000008
【図７】
2013002379.tif 000009
【図８】
2013002379.tif 000010
【図９】
2013002379.tif 000011
【図１０】
2013002379.tif 000012
【図１１】
2013002379.tif 000013
【図１２】
2013002379.tif 000014
【図１３】
2013002379.tif 000015
【図１４】
2013002379.tif 000016
【図１５】
2013002379.tif 000017
【図１６】
2013002379.tif 000018
【図１７】
2013002379.tif 000019
【図１８】
2013002379.tif 000020
【図１９】
2013002379.tif 000021
【図２０】
2013002379.tif 000022
【図２１】
2013002379.tif 000023
【図２２】
2013002379.tif 000024
【図２３】
2013002379.tif 000025
【図２４】
2013002379.tif 000026
【図２５】
2013002379.tif 000027
【図２６】
2013002379.tif 000028
【図２７】
2013002379.tif 000029
【図２８】
2013002379.tif 000030
【図２９】
2013002379.tif 000031
【図３０】
2013002379.tif 000032
【図３１】
2013002379.tif 000033
【図３２】
2013002379.tif 000034
【図３３】
2013002379.tif 000035
【国際調査報告】
2013002379.tif 000036
2013002379.tif 000037
2013002379.tif 000038
2013002379.tif 000039